(57)【要約】【課題】  大きい画角を維持すると共に小型化及び軽量化を達成する頭部装着型表示装置を提供する。【解決手段】  映像をユーザの網膜上に投影する映像表示装置であって、光を射出する光源と、前記光源からの光を集光して反射する集光部材と一体的に構成され、前記映像を表示する表示部とを有することを特徴とする映像表示装置を提供する。【選択図】        図１
2006189643.tif 000002
【特許請求の範囲】
【請求項１】
映像をユーザの網膜上に投影する映像表示装置に使用される液晶表示部であって、
光を集光して反射する曲面状の集光部材と、
前記集光部材と一体的に構成され、集光した前記光を利用して前記映像を表示する曲面状の液晶とを有することを特徴とする液晶表示部。
【請求項２】
映像をユーザの網膜上に投影する映像表示装置に使用される液晶表示部であって、
光を集光して反射する凹凸状の集光部材と、
前記集光部材と一体的に構成されて前記集光部材によって保護されると共に集光した前記光を利用して前記映像を表示する液晶とを有することを特徴とする液晶表示部。
【請求項３】
映像をユーザの網膜上に投影する映像表示装置であって、
光を射出する光源と、
前記光源からの光を集光して反射する集光部材と一体的に構成され、前記映像を表示する表示部とを有することを特徴とする映像表示装置。
【請求項４】
前記表示部は、形状の異なる複数の画素を有することを特徴とする請求項３記載の映像表示装置。
【請求項５】
前記画素の形状は、前記表示部の位置によって異なることを特徴とする請求項４記載の映像表示装置。
【請求項６】
前記映像表示装置は、前記表示部が表示する映像信号に対して前記表示部の形状に合わせて画像処理を行う画像処理部を更に有することを特徴とする請求項３記載の映像表示装置。
【請求項７】
前記表示部は、反射型液晶であることを特徴とする請求項３記載の映像表示装置。
【請求項８】
前記集光部材は、凹面ミラーであることを特徴とする請求項３記載の映像表示装置。
【請求項９】
前記集光部材は、凸面レンズであることを特徴とする請求項３記載の映像表示装置。
【請求項１０】
前記集光部材は、フルネルレンズであることを特徴とする請求項３記載の映像表示装置。
【発明の詳細な説明】
【技術分野】
【０００１】
本発明は、ポータブル型の映像表示装置に係り、特にユーザの頭部又は顔面に保持することを可能とする頭部装着型映像表示装置（ヘッドマウントディスプレイ）に関する。ここで、頭部装着型表示装置とは、外部の映像再生器（例えば、ビデオデッキやＤＶＤプレーヤなど）が出力した映像を頭部又は顔面に装着されたディスプレイに表示するものである。
【背景技術】
【０００２】
近年、電子機器の高性能化、小型化及び軽量化の要請が高まっており、頭部に装着して映像を観察する頭部装着型表示装置に関しても、小型化のみならず軽量化が要求されている。また、頭部装着型表示装置は、より迫力ある映像を実現するために大画面で見られることが望まれ、そのために表示画角をより大きくすることが必要となっている。従来の頭部装着型表示装置は、平面光源により照射された透過型液晶パネル上の映像を、自由曲面形状を有するプリズム等で形成した接眼光学系を利用することにより、虚像として拡大する。そして、ユーザは拡大した虚像を観察する。しかしながら、従来の頭部装着型表示装置においては、画角を大きくしようとすると、より大きな接眼光学系が必要になり、小型、軽量化に対し相反してしまう。また、頭部装着型表示装置は、眼鏡を使用しているユーザも装着できるように接眼光学系の位置を眼からある程度離さなければならない。そのため、装置が顔面から突出する量が大きくなるため、即ち、装置の重心と顔面からの距離が長くなるため、装着安定性が悪い。
【０００３】
そこで、大きな画角を維持すると共に小型化及び軽量化を達成するために、図１０に示すような頭部装着型表示装置１０００が提案されている（例えば、特許文献１を参照のこと）。ここで、図１０は、頭部装着型表示装置１０００を示す構成図である。頭部装着型表示装置１０００は、偏光板１１１６を介してレンズ１１１０によりコリメートされた光源１１１３からの光により液晶表示部１１１２を照明する。照明された液晶表示部１１１２の画像光が、レンズ群１１１１により第一の焦点Ｐ１に集光され、そして集光された光は、凹面ミラー１１１４で反射され、偏光板１１１７を介して瞳１５００の水晶体１５１０前面で第二の焦点Ｐ２に集光される。集光した光は、網膜１５２０に到達する。これによって、ユーザは、映像を観察することができる。頭部装着型表示装置１０００は、瞳１５００の焦点調節に依存せず映像を観察することができるため、眼鏡を必要とするユーザも、頭部装着型表示装置１０００を観察するときに眼鏡が必要とならない。したがって、頭部装着型表示装置１０００は、眼鏡のスペースを考慮する必要が無いので、小型、軽量でかつ画角を大きくするのに適している。
【特許文献１】特開平５−１３４２０８号公報
【発明の開示】
【発明が解決しようとする課題】
【０００４】
しかし、頭部装着型表示装置１０００は、複数の光学系（レンズ１１１０、レンズ群１１１１及び凹面ミラー１１１４）から構成されているため、表示装置としてはまだまだ大きく、小型、軽量という点において不十分であった。
【０００５】
そこで、本発明は、大きい画角を維持すると共に小型化及び軽量化を達成する頭部装着型表示装置を提供することを例示的な目的とする。
【課題を解決するための手段】
【０００６】
本発明の一側面としての液晶表示部は、映像をユーザの網膜上に投影する映像表示装置に使用される液晶表示部であって、光を集光して反射する曲面状の集光部材と、前記集光部材と一体的に構成され、集光した前記光を利用して前記映像を表示する曲面状の液晶とを有することを特徴とする。
【０００７】
本発明の別の側面としての液晶表示部は、映像をユーザの網膜上に投影する映像表示装置に使用される液晶表示部であって、光を集光して反射する凹凸状の集光部材と、前記集光部材と一体的に構成されて前記集光部材によって保護されると共に集光した前記光を利用して前記映像を表示する液晶とを有することを特徴とする。
【０００８】
本発明の別の側面としての映像表示装置は、映像をユーザの網膜上に投影する映像表示装置であって、光を射出する光源と、前記光源からの光を集光して反射する集光部材と一体的に構成され、前記映像を表示する表示部とを有することを特徴とする。
【発明の効果】
【０００９】
本発明によれば、大きい画角を維持すると共に小型化及び軽量化を達成する頭部装着型表示装置を提供することができる。
【発明を実施するための最良の形態】
【００１０】
以下、添付図面を参照して本発明の例示的一態様である頭部装着型表示装置１０について説明する。ここで、図１は、頭部装着型表示装置１０をユーザ３００が装着した場合を示す斜視図である。図２は、頭部装着型表示装置１０の断面ＡＡを示す上面図である。
【００１１】
頭部装着型表示装置１０は、映像をユーザの網膜上に投影する。即ち、頭部装着型表示装置１０は、外部の映像再生器（例えば、ビデオデッキやＤＶＤプレーヤなど）が出力した映像を頭部に装着されたディスプレイ（液晶表示部１５０）に表示する。また、頭部装着型表示装置１０は、本体１００と、保持機構２００とを有する。本実施形態では、頭部装着型表示装置１０は、めがね型の形状であって、本体１００と保持機構２００との間に図示しないヒンジ機構を有して折りたたみ可能な構成としてもよい。また、頭部装着型表示装置１０は、めがね型の形状だけでなく、ヘルメット型の形状など様々な形状であってもよい。更に、頭部装着型表示装置１０は、本実施形態では、音声を出力する音声出力部２３０を取り付けることもできる。頭部装着型表示装置１０の制御は、内蔵型コントローラやリモートコントローラであってもよい。
【００１２】
本体１００は、外部の映像再生器が出力した映像を頭部に装着されたディスプレイ（液晶表示部１５０）に表示する機能を有し、図２に示すように、筐体１１０と、光源１３０と、液晶表示部１５０と、偏光板１７０と、制御部１９０とを有する。本体１００は、図示しない電源供給部と、外部入力部とを更に有する。この場合、電源供給部は、内蔵型の電源や、外部から電力を供給する電源ジャックを有することができる。外部入力部は、外部の映像再生器の入力信号を本体１００へ導入し、画像入力部と、音声入力部とを有してもよい。
【００１３】
筐体１１０は、内部の部材を保護すると共に所定の位置に固定する機能を有する。つまり、筐体１１０は、後述する光源１３０と、液晶表示部１５０（映像表示部）と、偏光板１７０及び制御部１９０とを内部に収納し保護する。また、筐体１１０は、図２及び図３に示すように、光源１３０を筐体１１０の両端に保持し、光源１３０の前方に偏光板１７０を保持し、更に、偏光板１７０の前方に液晶表示部１５０を配置している。ここで、図３は、断面ＡＡの左側の拡大上面図である。筐体１１０は、顔面の形状に合わせて、下中央部に窪みを形成しており、軽量化のためにプラスチック素材などを使用することが好ましい。更に、筐体１１０は、中央から分割するような構成であってもよい。また、筐体１１０は、ユーザ３００と接触する箇所に弾性部材を配置して、遮光性及び装着安定性を向上させてもよい。
【００１４】
光源１３０は、後述する液晶表示部１５０を照明する。光源１３０は、本実施形態では、ＬＥＤ等からなる点光源であり、筐体１１０の両端、つまり、第１の焦点Ｐ１の位置に設けられている。
【００１５】
液晶表示部１５０は、光源１３０からの光を集光すると共に映像を表示する機能を有し、図４に示すように、ガラス基板１５１と、ミラー１５３と、液晶１５５と、透明電極１５７と、透明カラーフィルタ１５９とを有する。ここで、図４は、液晶表示部１５０の断面ＢＢの拡大上面図である。液晶表示部１５０は、瞳３１０の正面に位置するように配置され、その表面は、曲面である。曲面の形状は、本実施形態では、回転楕円体曲面形状であり、光源１３０と、瞳３１０とにそれぞれ焦点Ｐ１と焦点Ｐ２とが形成されるように決定される。
【００１６】
以上のように、頭部装着型表示装置１０の液晶表示部１５０は、集光用の光学系（ミラー１５３）と、表示器（液晶１５５）とを一体的に構成されているので、部材点数が減少し、広画角を維持しながら小型化及び軽量化を達成することができる。
【００１７】
ガラス基板１５１は、液晶分子を閉じ込め一定の厚さを維持する機能を有し、２枚のガラス基板１５１ａ及び１５１ｂとを有する。ガラス基板１５１は、本実施形態では、図示しない配向膜及び液晶分子と、透明電極１５７と、透明カラーフィルタ１５９を２枚のガラス基板１５１ａ及び１５１ｂとで挟み込む。本実施形態では、ガラス基板１５１は、ミラー１５３と共に挟み込んでいるが、それに限定されず、ミラー１５３を挟まなくてもよい。その場合、ミラー１５３は、瞳３１０に対してガラス基板１５１よりも後部に配置される。また、ガラス基板１５１ａは、光を透過させる必要がないため、ガラス等の透過性の部材のみならず、シリコン又はプラスチック等の遮光性の部材を使用することができる。
【００１８】
ミラー１５３は、光源１３０からの光を集光し反射する機能を有する。ミラー１５３は、瞳３１０側に対して液晶１５５よりも外側に形成されており、回転楕円体曲面をもち、係る曲面により光源１３０からの光を瞳３１０に反射させる。また、ミラー１５３は、表面に透明カラーフィルタ１５９が形成されている。尚、ミラー１５３は、本実施形態では、液晶１５５と同一な曲面の形状を有しているが、異なる形状であってもよい。例えば、ミラー１５３が回転楕円体曲面をもち、液晶１５５が平面であってもよい。即ち、ミラー１５３の形状は、光源１３０からの光を瞳３１０に集光することができれば、どのような形状であってもよい。
【００１９】
液晶１５５は、画像信号に基づいて画像を瞳３１０に出力するために使用され、配向膜と、液晶分子とを有する。
【００２０】
配向膜は、液晶分子を一定の方向に向かわせる機能を有する。配向膜は、後述する透明電極１５７の表面にコーティングされた薄膜であり、ポリイミドなどの高分子からなる。また、配向膜は、一定方向にこすって細かい溝をつけるラビング処理によって複数の溝が形成されている。かかる溝によって、液晶分子を一定方向に向かって並ぶことができる。
【００２１】
液晶分子は、液体と固体の中間状態をいい、コレステリック液晶、スメクティック液晶及びネマティック液晶等の種類からなる。液晶分子は、本実施形態では、ネマティック液晶を使用している。ネマティック液晶は、液晶分子が、全体に一定方向に向いており、それ以外の規則性が少ない並び方をしている。液晶分子は、配向膜間に導入されている。
【００２２】
透明電極１５７は、電流を流すことによって、液晶分子に電解を生じさせる機能を有する。透明電極１５７は、インジウムとスズの酸化物であるインジウム・ティン・オキサイド（ＩＴＯ）の薄膜であり、ガラス基板１５１の表面に薄膜として塗布される。また、透明電極１５７の表面には、上述したように配向膜が形成される。
【００２３】
透明カラーフィルタ１５９は、ＲＧＢ（赤緑青）のまとまりで、一の画素を形成する。ここで、画素とは、画像を構成する最小の単位要素のことで、英語ではピクセル（ｐｉｘｅｌ）と呼ばれているものである。透明カラーフィルタ１５９は、ＲＧＢの光の３原色を規則正しく配置して、一つの画素を作り出している。また、ＲＧＢの配列は、ストライプ配列、モザイク配列若しくはデルタ配列などの様々な配列を使用することが可能である。本実施形態の液晶表示部１５０は、ドットの配列から構成されるドットマトリクス方式を採用しており、液晶表示部１５０の表面上には、複数の画素（ＲＧＢの３つのドット）が形成される。
【００２４】
以上のように、液晶表示部１５０は、ミラー１５３と一体的に構成されているため、３次元形状、即ち、曲面の表面を有している。そのため、液晶表示部１５０は、網膜上に投影された時に映る画像が歪まないように画素パターンを変化させて画素を形成している。つまり、画素は、瞳３１０の近くに配置されるにつれて画素パターンが狭くなり、遠くに配置されると画素パターンが広くなる。このように遠近法を用いると、液晶表示部１５０の曲面による歪みを映像から除去することができる。そのため、頭部装着型表示装置１０の液晶表示部１５０は、表示器（液晶１５５）と集光用の光学系（ミラー１５３）を一体的に構成することができるので、部材点数を減少させ、広画角を維持しながら小型化及び軽量化を達成することができる。
【００２５】
ここで、図５を参照して、更に詳述すると、回転楕円体曲面上の各画素を左上から右下方向に順次、ａ１１、ａ１２・・・ａ１ｎ・・・ａｋ１、ａｋ２・・・ａｋｎとして座標点で表し、各端の座標点（ａ１１、ａｋ１、ａ１ｎ、ａｋｎ）とＰ２とが結ばれる直線上の４点を端とする平面を仮想平面４００とし、仮想平面４００上の係る端の４点を（ａ１１´、ａｋ１´、ａ１ｎ´、ａｋｎ´）とし、仮想平面１０の各画素を左上から右下方向に順次、ａ１１´、ａ１２´・・・ａ１ｎ´・・・ａｋ１´、ａｋ２´・・・ａｋｎ´として座標点で表したとき、ａ１１乃至ａｋｎは、ａ１１´乃至ａｋｎ´が等間隔となるような画素パターンを形成する。ここで、図５は、液晶と仮想平面の画素を示す斜視図である。
【００２６】
偏光板１７０は、一定の方向に振動している光だけを透過する機能を有し、偏光板１７１と１７２とを有する。偏光板１７１及び１７２は、互いに偏光方向が直交している。偏光板１７１は、図３に示すように、瞳３１０の正面に配置され、平面形状を有する。また、本実施形態では、偏光板１７１は、筐体１１０の一部として機能している。偏光板１７２は、光源１３０の正面に配置され、偏光板１７１とは異なる光を透過する。また、偏光板１７２は、平面形状を有する。
【００２７】
制御部１９０は、外部の映像再生器５００からの画像信号を液晶表示部１５０に伝達すると共に制御する機能を有し、表示駆動回路１９１と、画像処理回路１９２とを有する。また、制御部１９０は、画像の歪みを補正することが可能である。この場合、液晶表示部１５０は、画素パターンの制御によって補正する必要がない。制御部１９０は、電気的に映像再生器５００と、液晶表示部１５０とに接続されている。また、制御部１９０は、本実施形態では、左右の液晶表示部１５０に対応して、表示駆動回路１９１と、画像処理回路１９２とを一対ずつ有している。この場合、表示駆動回路１９１と画像処理回路１９２は、一対でなくても、左右の回路を含んで、一つにしてもよい。
【００２８】
以下、図６を参照して、画像の歪み補正の方法を説明する。ここで、図６は、制御部１９０を示すブロック図である。
【００２９】
まず、外部の映像再生器５００から送られてきた右眼用の映像信号Ｒ１及び左眼用の映像信号Ｌ１は、それぞれ画像処理回路１９１Ｒ及び１９１Ｌに送られ、間引き或いは補間等の電気的画像処理により頭部装着型表示装置１０の光学系に起因する歪が補正される。そして、歪補正された映像信号Ｒ１及びＬ１は、表示駆動回路１９２Ｒ及び１９２Ｌに送られ、液晶表示部１５０（１５０Ｒ及び１５０Ｌ）に映像として表示される。従って、上記の光学系を通してユーザの網膜に投影された映像は、歪なく観察される。それにより、制御部１９０を内蔵した頭部装着型表示装置１０は、集光用の光学系（ミラー１５３）と、表示器（液晶１５５）とを一体的に構成することができるので、部材点数が減少し、広画角を維持しながら小型化及び軽量化を達成することができる。
【００３０】
以下、頭部装着型表示装置１０の動作方法を説明する。
【００３１】
まず、光源１３０より射出した光Ｌ１は、偏光板１７２を介して液晶表示部１５０に照射される。このとき、液晶表示部１５０では、外部の映像再生器５００から入力された映像信号に基づいて、液晶表示部１５０の反射面上の各画素における印加電圧が可変的に制御されている。即ち、画素毎に光Ｌ１の偏光が可変制御され、偏光板１７２を介すことにより各画素からの反射光Ｌ２は、映像信号に対応して透過制御されることになる。そして、液晶表示部１５０で反射した光Ｌ２は回転楕円体曲面によって第二の焦点Ｐ２に集光する。この第二の焦点Ｐ２にユーザの瞳３１０を置くことにより網膜上に液晶表示部１５０の映像が投影される。その結果、ユーザはピンホールから覗くようにユーザの視力に依存することなく液晶表示部１５０の映像を見ることができる。
【００３２】
以上のように、液晶表示部１５０は、表示器（液晶１５５）と集光用の光学系（ミラー１５３）を一体的に構成すると共に、映像の歪補正を表示画面の画素パターンによる又は電気的な画像処理による等の光学的な方法以外の方法で歪み補正を行うことにより、光源１３０と集光機能を有する表示器のみの簡単な構成となる。したがって、表示器をユーザの眼の眼前により近づけることができる。すなわち、より小さい面積でユーザの眼前を覆うことができるので、広画角を維持しながら小型、軽量の表示装置を実現できる。
【００３３】
保持機構２００は、本体１００を固定すると共に保持部２１０と、イヤホン２３０とを有する。
【００３４】
保持部２１０は、２本の保持部２１１及び２１２とからなり、本体１００の両端にそれぞれ結合されている。また、保持部２１０は、折りたたみ可能なように本体１００と保持部２１０との間がヒンジになっている。それによって、頭部装着型表示装置１０は、携帯性を向上させている。なお、保持機構２００は、本実施形態では、耳掛けタイプの保持機構であるが、弾性部材からなるバンドタイプの保持機構でもよい。
【００３５】
イヤホン２３０は、外部の映像再生器５００からの音声信号を伝達する機能を有する。音声信号は音声パラメータに応じて処理が加えられて、イヤホン２３０に出力される。この場合、イヤホン２３０からの出力はモノラル出力でも、左右別のステレオ出力でもよい。また、イヤホンタイプの音声出力部でなくとも、ヘッドホンタイプでも適用可能である。
【００３６】
以下、図７を参照して、別の実施形態である頭部装着型映像装置１０Ａについて説明する。頭部装着型映像装置１０Ａは、外部の映像再生器（例えば、ビデオデッキやＤＶＤプレーヤなど）が出力した映像を頭部に装着されたディスプレイに表示する機能を有し、本体１００Ａと、保持機構２００とを有する。尚、頭部装着型映像装置１０Ａは、頭部装着型映像装置１０とは、本体１００Ａの液晶表示部１５０のみが異なる。そのため、液晶表示部１５０Ａのみを説明し、その他の部材の説明は省略する。
【００３７】
ここで、図７は、液晶表示部１５０Ａを示す拡大断面図である。
【００３８】
液晶表示部１５０Ａは、光源１３０からの光を集光すると共に映像を表示する機能を有し、図７に示すように、ガラス基板１５１Ａと、ミラー１５３Ａと、液晶１５５Ａと、透明電極１５７Ａと、透明カラーフィルタ１５９Ａとを有する。ここで、図７は、液晶表示部１５０Ａの断面図である。液晶表示部１５０Ａは、瞳３１０の正面に位置するように配置され、その表面は、凸面である。凸面は、光源１３０と、瞳３１０とにそれぞれ焦点Ｐ１と焦点Ｐ２とが形成されるように決定される。
【００３９】
以上のように、頭部装着型表示装置１０Ａの液晶表示部１５０Ａは、集光用の光学系（凸面のガラス基板１５１Ａ）と、表示器（液晶１５５Ａ）とが一体的に構成されているので、部材点数が減少し、広画角を維持しながら小型化及び軽量化を達成することができる。
【００４０】
ガラス基板１５１Ａは、液晶分子を閉じ込め一定の厚さを維持する機能を有し、２枚のガラス基板１５１ａＡ及び１５１ｂＡとを有する。ガラス基板１５１ｂＡは、本実施形態では、凸形状であるため、光源１３０からの光Ｌ１を集光することができる。ガラス基板１５１Ａは、本実施形態では、図示しない配向膜及び液晶分子と、透明電極１５７Ａと、透明カラーフィルタ１５９Ａを２枚のガラス基板１５１ａＡ及び１５１ｂＡとで挟み込む。本実施形態では、ガラス基板１５１Ａは、ミラー１５３Ａと共に挟み込んでいるが、それに限定されず、ミラー１５３Ａを挟まなくてもよい。その場合、ミラー１５３Ａは、瞳３１０に対してガラス基板１５１Ａよりも後部に配置される。また、ガラス基板１５１ａＡは、光を透過させる必要がないため、ガラス等の透過性の部材のみならず、シリコン又はプラスチック等の遮光性の部材を使用することができる。
【００４１】
尚、ガラス基板１５１Ａは、凸レンズ形状だけでなく、図８に示すようにフレネルレンズ１５１ｂＢを用いてもよい。更に、ガラス基板１５１は、図９に示すように、平面ガラス１５１ｃと凸レンズ１５１ｄとに分割して形成してもよい。すなわち、集光用の機能を有するガラス基板１５１Ａと液晶１５５とが実質的に一体とみなせる構成であれば良い。ここで、図８及び図９は、液晶表示部１５０Ｂ及び１５０Ｃを示す断面図である。
【００４２】
ミラー１５３Ａは、光源１３０からの光を集光し反射する機能を有する。ミラー１５３Ａは、瞳３１０側に対して液晶１５５Ａよりも外側に形成されており、平面形状である。また、ミラー１５３Ａは、表面に透明カラーフィルタ１５９Ａが形成されている。尚、ミラー１５３Ａは、本実施形態では、液晶１５５Ａと同一な平面の形状を有しているが、異なる形状であってもよい。
【００４３】
液晶１５５Ａは、画像信号に基づいて画像を瞳３１０に出力するために使用され機能を有し、配向膜と、液晶分子とを有する。
【００４４】
配向膜は、液晶分子を一定の方向に向かわせる機能を有する。配向膜は、後述する透明電極１５７Ａの表面にコーティングされた薄膜であり、ポリイミドなどの高分子からなる。また、配向膜は、一定方向にこすって細かい溝をつけるラビング処理によって複数の溝が形成されている。かかる溝によって、液晶分子を一定方向に向かって並ぶことができる。
【００４５】
液晶分子は、液体と固体の中間状態をいい、コレステリック液晶、スメクティック液晶及びネマティック液晶等の種類からなる。液晶分子は、本実施形態では、ネマティック液晶を使用している。ネマティック液晶は、液晶分子が、全体に一定方向に向いており、それ以外の規則性が少ない並び方をしている。液晶分子は、配向膜間に導入されている。
【００４６】
透明電極１５７Ａは、電流を流すことによって、液晶分子に電解を生じさせる機能を有する。透明電極１５７Ａは、インジウムとスズの酸化物であるインジウム・ティン・オキサイド（ＩＴＯ）の薄膜であり、ガラス基板１５１Ａの表面に薄膜として塗布される。また、透明電極１５７Ａの表面には、上述したように配向膜が形成される。
【００４７】
透明カラーフィルタ１５９Ａは、ＲＧＢ（赤緑青）のまとまりで、一の画素を形成する。透明カラーフィルタ１５９Ａは、ＲＧＢの光の３原色を規則正しく配置して、一つの画素を作り出している。また、ＲＧＢの配列は、ストライプ配列、モザイク配列若しくはデルタ配列などの様々な配列を使用することが可能である。本実施形態の液晶表示部１５０Ａは、ドットの配列から構成されるドットマトリクス方式を採用しており、液晶表示部１５０Ａの表面上には、複数の画素（ＲＧＢの３つのドット）が形成される。
【００４８】
以上のように、液晶表示部１５０Ａは、瞳３１０に対して傾斜して配置されているため、ユーザが液晶表示部１５０Ａを斜めに見ることになり、画素形状が同じ形状の場合は台形状に歪んで見えることになる。しかしながら、上述の実施形態で述べたように、画素形状による、或いは電気的な画像処理による補正がなされることにより、歪なく映像が観察することができる。
【００４９】
以上、本発明の好ましい実施例について説明したが、本発明はこれらの実施例に限定されないことはいうまでもなく、その要旨の範囲内で種々の変形及び変更が可能である。
【図面の簡単な説明】
【００５０】
【図１】本発明の頭部装着型表示装置をユーザが装着した場合を示す概略斜視図である。
【図２】図１に示す頭部装着型表示装置の断面ＡＡを示す概略上面図である。
【図３】図２に示す頭部装着型表示装置の液晶表示部の断面ＡＡの左側の概略拡大上面図である。
【図４】図１に示す頭部装着型表示装置の液晶表示部の断面ＢＢの概略拡大上面図である。
【図５】図４に示す液晶と仮想平面の画素を示す概略斜視図である。
【図６】図１に示す頭部装着型表示装置の制御部を示す概略ブロック図である。
【図７】図２に示す液晶表示部の別の実施形態の液晶表示部を示す拡大断面図である。
【図８】図７に示す液晶表示部の別の実施形態の液晶表示部を示す概略断面図である。
【図９】図７に示す液晶表示部の別の実施形態の液晶表示部を示す概略断面図である。
【図１０】従来の頭部装着型表示装置を示す概略構成図である。
【符号の説明】
【００５１】
１０              頭部装着型表示装置
１００            本体
１１０            筐体
１３０            光源
１５０            液晶表示部
１５１            ガラス基板
１５３            ミラー
１５５            液晶
１５７            透明電極
１５９            透明カラーフィルタ
１７０            偏光板
１９０            制御部
２００            保持機構
【図１】
2006189643.tif 000003
【図２】
2006189643.tif 000004
【図３】
2006189643.tif 000005
【図４】
2006189643.tif 000006
【図５】
2006189643.tif 000007
【図６】
2006189643.tif 000008
【図７】
2006189643.tif 000009
【図８】
2006189643.tif 000010
【図９】
2006189643.tif 000011
【図１０】
2006189643.tif 000012